(57)【特許請求の範囲】
【請求項１】
被照明体を照明する照明装置において、
光を発する第一の発光部と、一方側にずれた位置で前記第一の発光部を支持する第一の支持体と、前記第一の支持体から突出する第一の端子と、を有する第一の光源と、
光を発する第二の発光部と、前記第一の光源が有する前記第一の発光部と同じ一方側にずれた位置で前記第二の発光部を支持する第二の支持体と、前記第一の端子が前記第一の支持体から突出する方向と同じ方向に前記第二の支持体から突出する第二の端子と、を有する第二の光源と、
前記第一の光源および前記第二の光源からの光を前記被照明体へと導く導光体と、
を有し、
前記導光体の長手方向で見たときに、前記第一の光源の前記第一の発光部が前記導光体の一端面内に配置されるように、前記導光体の前記長手方向における一端側に前記第一の光源を配置し、
前記導光体の前記長手方向で見たときに、前記第二の光源の前記第二の発光部が前記導光体の他端面内に配置されるように、前記導光体の前記長手方向における他端側に前記第二の光源を配置し、
かつ、前記導光体の前記長手方向で見たときに、前記第一の光源および前記第二の光源を、前記第一の端子の前記第一の支持体からの突出方向と前記第二の端子の前記第二の支持体からの突出方向とを異ならせて配置して、
前記第一の端子の前記第一の支持体からの突出方向と前記第二の端子の前記第二の支持体からの突出方向とが同じになるように配置した場合と比較して、前記第一の光源と前記第二の光源とが前記導光体の前記長手方向に見て重なり合った領域からの、前記第一の支持体および前記第二の支持体の所定の方向への突出長が小さくなるように前記第一の光源と前記第二の光源を配置したことを特徴とする照明装置。
【請求項２】
前記第一の光源と電気的に接続している主回路基板と、
前記第二の光源と電気的に接続している補助回路基板であって、前記主回路基板と電気的に接続している前記補助回路基板と、
を有することを特徴とする請求項１に記載の照明装置。
【請求項３】
更に、前記第一の支持体は第一の窪みを有し、前記第一の発光部は前記第一の窪み内に設けられており、
前記導光体の前記長手方向で見たときに、前記第一の窪みが前記導光体の前記一端面内に配置されるように、前記導光体の前記長手方向における前記一端側に前記第一の光源を配置し、
前記第二の支持体は第二の窪みを有し、前記第二の発光部は前記第二の窪み内に設けられており、
前記導光体の前記長手方向で見たときに、前記第二の窪みが前記導光体の前記他端面内に配置されるように、前記導光体の前記長手方向における前記他端側に前記第二の光源を配置したことを特徴とする請求項１又は請求項２に記載の照明装置。
【請求項４】
前記主回路基板と前記補助回路基板はフレキシブル基板又はコネクタで接続されていることを特徴とする請求項２に記載の照明装置。
【請求項５】
前記第一の光源は、前記第一の発光部を複数有し、
前記第二の光源は、前記第二の発光部を複数有し、
前記第一の光源および前記第二の光源は、前記導光体の前記長手方向で見たときに、前記第一の複数の発光部のうち中心に位置する発光部と前記第二の複数の発光部のうち中心に位置する発光部とが重なるように設けられていることを特徴とする請求項１乃至請求項４の何れか１項に記載の照明装置。
【請求項６】
前記第一の支持体と前記第二の支持体は、平板状の直方体であり、前記導光体の前記長手方向で見たときに、前記第一の支持体と前記第二の支持体とが直交して配置されていることを特徴とする請求項１乃至請求項５の何れか１項に記載の照明装置。
【請求項７】
前記主回路基板と前記補助回路基板とが直交して配置されていることを特徴とする請求項２乃至請求項６の何れか１項に記載の照明装置。
【請求項８】
前記第二の支持体の形状は、前記第一の支持体の形状と同じであり、
前記第二の端子の形状は、前記第一の端子の形状と同じであり、
前記第二の発光部の前記第二の支持体における配置は、前記第一の発光部の前記第一の支持体における配置と同じであることを特徴とする請求項１乃至請求項７の何れか１項に記載の照明装置。
【請求項９】
請求項１乃至請求項８の何れか１項に記載の照明装置と、
前記導光体により前記被照明体を照射することで生じる前記被照明体からの反射光を結像する集光体と、
前記集光体によって結像された光を受光して電気信号に変換するイメージセンサと、
を有することを特徴とするイメージセンサユニット。
【請求項１０】
請求項９に記載のイメージセンサユニットと、
前記イメージセンサユニットと前記被照明体とを相対的に移動させる移動手段と、
を有することを特徴とする画像読取装置。
【請求項１１】
前記被照明体としての紙葉類の鑑別を行う紙葉類鑑別装置において、
請求項１乃至請求項８の何れか１項に記載の照明装置と、
光を発する光源と、前記光源からの光を前記紙葉類へと導く導光体と、前記導光体により紙葉類の第一面を照射することで生じる前記紙葉類からの反射光と前記照明装置により紙葉類の第二面を照射することで生じる前記紙葉類を透過した透過光とを結像する集光体と、前記集光体によって結像された光を受光して電気信号に変換するイメージセンサと、を備えるイメージセンサユニットと、
前記紙葉類を搬送する搬送手段と、
前記紙葉類を鑑別する基準となる基準データを記憶する記憶手段と、
前記電気信号に応じたイメージデータと、前記記憶手段に記憶されている前記基準データとを比較して前記紙葉類を鑑別する鑑別手段と、
を有することを特徴とする紙葉類鑑別装置。
【発明の詳細な説明】
【技術分野】
【０００１】
本発明は、照明装置、イメージセンサユニット、画像読取装置、および、紙葉類鑑別装置に関するものである。
【背景技術】
【０００２】
イメージセンサユニットに用いられる照明装置として、導光体方式の照明装置が知られている。
また、より多くの光量を得るために、特許文献１にはＬＥＤランプを導光体の両端面に設置した光源ユニット（照明装置）が開示されている。
【先行技術文献】
【特許文献】
【０００３】
【特許文献１】特開平９−２１４６７５号公報
【特許文献２】特開２００７−２９９７７５号公報
【発明の概要】
【発明が解決しようとする課題】
【０００４】
照明装置の光源には、平板状の支持体の発光面にＬＥＤチップを配置し、ＬＥＤチップを透明樹脂で封止したＬＥＤモジュールを用いることがある。このようなＬＥＤモジュールのなかには、ＬＥＤチップが発光面の幅方向における中心位置から幅方向の一方側に偏倚して配置されたものがある。ＬＥＤチップが偏倚したＬＥＤモジュールを導光体の両端面に設置した場合、照明装置が大型化し、それに伴いイメージセンサユニットが大型化する問題が生じる。
紙幣、有価証券などの紙葉類の真贋判定を行う紙葉類識別装置に適用される照明装置の光源においては、セキュリティのために不可視インクを読み取るために赤、緑、青の他、例えば赤外、紫外の発光波長を有するＬＥＤチップを用いることがある。このためＬＥＤモジュールのリード端子が増加し、ＬＥＤモジュールが大型化することで、照明装置およびイメージセンサユニットがさらに大型化する問題が生じる。
【０００５】
また、特許文献２のように、導光体の両端に設置するＬＥＤチップに夫々異なる形状の光源を用いることもできる。しかしながら、異なる形状のＬＥＤチップを用いると、両端に同一の形状のＬＥＤチップを用いた場合と比較してコストが増大する。
【０００６】
図１４は、比較例に係る照明装置１００の設置状態を示す斜視図である。照明装置１００は、導光体１０１、第１のＬＥＤモジュール１０４、第２のＬＥＤモジュール１０６、回路基板１０８を有している。導光体１０１は、長手方向の両端面のうち一端面から第１のＬＥＤモジュール１０４からの光を入射させ、他端面から第２のＬＥＤモジュール１０６からの光を入射させる。また、導光体１０１は、両端面から入射された光を拡散面１０３により反射および拡散させることで、光出射面１０２から原稿に向けて照射する。
【０００７】
第１のＬＥＤモジュール１０４および第２のＬＥＤモジュール１０６は、同一の外形および構造であり、幅方向の寸法Ｗで構成され、回路基板１０８に実装されている。第１のＬＥＤモジュール１０４は幅方向の中心位置から一方側にＬＥＤチップ１０５を有し、第２のＬＥＤモジュール１０６も幅方向の中心位置から同じ一方側にＬＥＤチップ１０７を有する。したがって、第１のＬＥＤモジュール１０４のＬＥＤチップ１０５と第２のＬＥＤモジュール１０６のＬＥＤチップ１０７とを導光体１０１を挟んで対向させるように回路基板１０８に実装すると、矢印Ｇ方向（主走査方向）で見た場合に幅方向（副走査方向）に寸法が大きくなってしまう。
【０００８】
図１５は、図１４の矢印Ｇ方向から見た図である。図１５に示すように、第１のＬＥＤモジュール１０４および第２のＬＥＤモジュール１０６とは、矢印Ｇから見たとき、両者の幅方向の重なり代が少ないため幅方向への突出長が大きくなってしまう。したがって、第１のＬＥＤモジュール１０４と第２のＬＥＤモジュール１０６とを合わせた幅方向の寸法Ｔ１が大きくなってしまう。このような場合、第１のＬＥＤモジュール１０４および第２のＬＥＤモジュール１０６を実装する回路基板１０８も幅方向に寸法を大きくしなればならず、照明装置１００が大型化してしまう。このため、照明装置１００を用いたイメージセンサユニットが大型化するものであった。
【０００９】
本発明は、所定の方向への突出長が小さくなるようにした照明装置、前記照明装置を用いた、イメージセンサユニット、画像読取装置、および、紙葉類鑑別装置を提供することを目的とする。
【課題を解決するための手段】
【００１０】
本発明の照明装置は、被照明体を照明する照明装置において、光を発する第一の発光部と、一方側にずれた位置で前記第一の発光部を支持する第一の支持体と、前記第一の支持体から突出する第一の端子と、を有する第一の光源と、光を発する第二の発光部と、前記第一の光源が有する前記第一の発光部と同じ一方側にずれた位置で前記第二の発光部を支持する第二の支持体と、前記第一の端子が前記第一の支持体から突出する方向と同じ方向に前記第二の支持体から突出する第二の端子と、を有する第二の光源と、前記第一の光源および前記第二の光源からの光を前記被照明体へと導く導光体と、を有し、前記導光体の前記長手方向で見たときに、前記第一の光源の前記第一の発光部が前記導光体の一端面内に配置されるように、前記導光体の前記長手方向における一端側に前記第一の光源を配置し、前記導光体の前記長手方向で見たときに、前記第二の光源の前記第二の発光部が前記導光体の他端面内に配置されるように、前記導光体の前記長手方向における他端側に前記第二の光源を配置し、かつ、前記導光体の前記長手方向で見たときに、前記第一の光源および前記第二の光源を、前記第一の端子の前記第一の支持体からの突出方向と前記第二の端子の前記第二の支持体からの突出方向とを異ならせて配置して、前記第一の端子の前記第一の支持体からの突出方向と前記第二の端子の前記第二の支持体からの突出方向とが同じになるように配置した場合と比較して、前記第一の光源と前記第二の光源とが前記導光体の前記長手方向に見て重なり合った領域からの、前記第一の支持体および前記第二の支持体の所定の方向への突出長が小さくなるように前記第一の光源と前記第二の光源を配置したことを特徴とする。
【発明の効果】
【００１１】
本発明は、所定の方向への突出長が小さくなるようにした照明装置、前記照明装置を用いた、イメージセンサユニット、画像読取装置、および、紙葉類鑑別装置を実現した。
【図面の簡単な説明】
【００１２】
【図１】図１は、本実施形態の照明装置の設置状態を示す斜視図である。
【図２】図２は、本実施形態の照明装置を備えた紙葉類鑑別装置の断面図である。
【図３】図３は、本実施形態の光源ユニットの全体構成を示す斜視図である。
【図４】図４は、本実施形態の光源ユニットの分解斜視図である。
【図５Ａ】図５Ａは、図４に示す矢印Ｃ方向から見た斜視図である。
【図５Ｂ】図５Ｂは、図４に示す矢印Ｄ方向から見た斜視図である。
【図６Ａ】図６Ａは、図３に示すＩ−Ｉ線断面図である。
【図６Ｂ】図６Ｂは、図３に示すＩＩ−ＩＩ線断面図である。
【図７Ａ】図７Ａは、ＬＥＤモジュールの正面図である。
【図７Ｂ】図７Ｂは、ＬＥＤモジュールの背面図である。
【図８】図８は、図１に示す矢印Ｆ方向から見た図である。
【図９】図９は、本実施形態の画像読取装置、画像形成装置を示す斜視図である。
【図１０】図１０は、本実施形態の画像形成部の構造を示す概略図である。
【図１１】図１１は、本実施形態のイメージセンサユニットの断面図である。
【図１２】図１２は、本実施形態のイメージセンサユニットの分解斜視図である。
【図１３】図１３は、本実施形態の回路基板を接続する場合の他の接続形態を示す図である。
【図１４】図１４は、比較例の照明装置の設置状態を示す斜視図である。
【図１５】図１５は、図１４に示す矢印Ｇ方向から見た図である。
【図１６】図１６は、本実施形態の照明装置を備えた紙葉類読取部の斜視図である。
【図１７】図１７は、本実施形態のイメージセンサユニットの斜視図である。
【図１８Ａ】図１８Ａは、第１の光源の端子と第２の光源の端子との角度を０°（比較例）とした時に導光体の長手方向から見た図である。
【図１８Ｂ】図１８Ｂは、第１の光源の端子と第２の光源の端子との角度を２１．２°とした時に導光体の長手方向から見た図である。
【図１８Ｃ】図１８Ｃは、第１の光源の端子と第２の光源の端子との角度を９０°（直交）とした時に導光体の長手方向から見た図である。
【図１８Ｄ】図１８Ｄは、第１の光源の端子と第２の光源の端子との角度を１８０°とした時に導光体の長手方向から見た図である。
【図１８Ｅ】図１８Ｅは、第１の光源の端子と第２の光源の端子との角度を２２０．２°とした時に導光体の長手方向から見た図である。
【図１８Ｆ】図１８Ｆは、第１の光源の端子と第２の光源の端子との角度を３０７．７°とした時に導光体の長手方向から見た図である。
【図１９】図１９は、ＬＥＤモジュールの各部分の長さを示した正面図である。
【図２０】図２０は、紙葉類鑑別装置の構成を示す図である。
【図２１】図２１は、紙葉類の鑑別処理のフローチャートである。
【発明を実施するための形態】
【００１３】
以下、本発明を適用できる実施形態について、図面を参照して詳細に説明する。本実施形態は、照明装置と、この照明装置が適用される光源ユニットと、この光源ユニットが適用される紙葉類鑑別装置である。以下の説明においては、三次元の各方向を、Ｘ，Ｙ，Ｚの各矢印で示す。Ｘ方向が主走査方向であり、Ｙ方向が主走査方向に直角な副走査方向であり、Ｚ方向が垂直方向（上下方向）である。
【００１４】
（第１の実施形態）
本実施形態では、照明装置と、この照明装置が適用される光源ユニットと、この光源ユニットが適用される紙葉類鑑別装置について説明する。ここでは、紙葉類鑑別装置４は、紙幣、有価証券などの紙葉類の真贋判定を行うものであり、照明装置は、紙葉類としての原稿Ｐ（被照明体）に透過光を照射するものとする。
【００１５】
図１６は、光源ユニット１を備えた紙葉類読取部１０の斜視図である。図２は、光源ユニット１を備えた紙葉類鑑別装置４の構成の一例を示す断面図であり、この紙葉類鑑別装置４は紙葉類読取部１０を備えている。紙葉類読取部１０の所定部には、原稿Ｐの副走査方向に沿って、対をなして原稿Ｐを挟みながら搬送するための搬送ローラ５５ａ、５５ｂと搬送ローラ５６ａ、５６ｂとが隔置される。これらの搬送ローラ５５ａ、５５ｂおよび５６ａ、５６ｂは、図示しない駆動機構により回転駆動されるようになっており、原稿Ｐは所定の搬送速度で副走査方向に搬送される。
【００１６】
紙葉類読取部１０は、搬送ローラ５５ａ、５５ｂと搬送ローラ５６ａ、５６ｂとの間にて原稿Ｐの搬送路上に配置され、搬送される原稿Ｐの画像を読み取る。本実施形態の紙葉類読取部１０は、光源ユニット１とイメージセンサユニット２（２ａ、２ｂ）とを備えている。
光源ユニット１は、原稿Ｐに透過読み取り用の光を照射する。光源ユニット１は光を原稿Ｐに対して下方向から照射する。
【００１７】
イメージセンサユニット２（２ａ、２ｂ）は、原稿Ｐに反射読み取り用の光を照射すると共に、イメージセンサユニット２ａは原稿Ｐからの反射光および光源ユニット１から原稿Ｐに照射され原稿Ｐを透過した透過光を読み取ることができる。イメージセンサユニット２ａは、反射読み取り用の光を原稿Ｐに対して上方向から照射することで原稿Ｐからの反射光を読み取る。また、イメージセンサユニット２ａは光源ユニット１から照射され、原稿Ｐを透過した透過光を読み取る。一方、イメージセンサユニット２ｂは、反射読み取り用の光を原稿Ｐに対して下方向から照射することで原稿Ｐからの反射光を読み取る。イメージセンサユニット２ａ、２ｂは、中心点Ｏを点対称に配置した同一の構成である。
【００１８】
次に、光源ユニット１およびイメージセンサユニット２（２ａ、２ｂ）の基本動作について図２を参照して説明する。
【００１９】
まず、搬送ローラ５５ａ，５５ｂおよび搬送ローラ５６ａ，５６ｂは所定の搬送速度で副走査方向に原稿Ｐを搬送する。イメージセンサユニット２ａは、フレーム５１内に配置された上述したような照明装置１００を点灯することにより集光体５２を挟んで配置された導光体５３から原稿Ｐの上面に対して矢印Ｌ１に示す反射読み取り用の光を照射する。したがって、原稿Ｐには読取ラインＳ（主走査方向）に亘ってライン状に光が照射される。この光は原稿Ｐによって反射されることで、集光体５２を介して反射光がイメージセンサ５４上に結像される。イメージセンサ５４は、結像された反射光を電気信号に変換することで、原稿Ｐの上面の画像を読み取ることができる。
また、イメージセンサユニット２ｂは、イメージセンサユニット２ａと同様の構成であり、フレーム５１内に配置された上述したような照明装置１００を点灯することにより集光体５２を挟んで配置された導光体５３から原稿Ｐの下面に対して矢印Ｌ４に示す反射読み取り用の光を照射する。したがって、原稿Ｐには読取ラインＳ（主走査方向）に亘ってライン状に光が照射される。この光は原稿Ｐによって反射されることで、集光体５２を介して反射光がイメージセンサ５４上に結像される。イメージセンサ５４は、結像された反射光を電気信号に変換することで、原稿Ｐの下面の画像を読み取ることができる。
【００２０】
続いて、光源ユニット１のフレーム１２内に配置された後述する照明装置５０を点灯することにより導光体２３から原稿Ｐの下方向から矢印Ｌ２に示す透過光用の光を照射する。したがって、原稿Ｐには読取ラインＳ（主走査方向）に亘ってライン状に光が照射される。この光は原稿Ｐを透過することで、イメージセンサユニット２ａの集光体５２を介して透過光がイメージセンサ５４上に結像される。イメージセンサ５４は、結像された透過光を電気信号に変換することで、原稿Ｐの下方向から照射して原稿Ｐを透過した光を読み取ることができる。
【００２１】
このようにしてイメージセンサ５４が反射光および透過光を１走査ライン分読み取ることで、原稿Ｐの主走査方向における１走査ラインの読み取り動作を完了する。１走査ラインの読み取り動作終了後、原稿Ｐの副走査方向への移動に伴い、上述する動作と同様に次の１走査ライン分の読み取り動作が行われる。このように原稿Ｐを副走査方向に搬送しながら１走査ライン分ずつ読み取り動作を繰り返すことで、原稿Ｐの全面が順次走査されて反射光および透過光により画像の読み取りが行われる。これにより、上述したように構成される紙葉類読取部１０では、原稿Ｐの上下両面を１回の搬送で読み取ることができる。
【００２２】
次に、光源ユニット１について説明する。光源ユニット１は後述するように導光体２３の両端面にそれぞれ光源が配置された照明装置５０を備えている。また、光源ユニット１は、副走査方向に小型化された構成を有している。
以下、光源ユニット１の具体的な構成について図２〜図４を参照して説明する。図３は光源ユニット１の全体構成を示す斜視図である。図４は光源ユニット１の各構成部材を示す分解斜視図である。
【００２３】
図３に示すように、光源ユニット１は略直方体の外観を呈し、その長手方向が主走査方向となっている。以下では、光源ユニット１の主走査方向のうち、図３に示すＡ部側を一端側といい、図３に示すＢ部側を他端側というものとする。
【００２４】
図４に示すように、光源ユニット１は、カバーガラス１１、フレーム１２、導光体２３、第１の光源３１、第２の光源３２、第１の回路基板３８、第２の回路基板４１、コネクタ４４、フレキシブル基板４５、遮光部材４６、両面テープ４７などを備えている。これらの構成部材のうち、導光体２３、第１の光源３１、第２の光源３２、第１の回路基板３８、第２の回路基板４１、フレキシブル基板４５は、照明装置５０として機能する。また、上述した構成部材のうち、カバーガラス１１、フレーム１２、導光体２３および第１の回路基板３８は、読み取る原稿Ｐの主走査方向の幅寸法に応じた長さに形成されている。
【００２５】
カバーガラス１１は、フレーム１２内に塵が侵入するのを防止するためのものである。カバーガラス１１は略平板状であって、フレーム１２の上方向を覆うように、例えば両面テープ４７などを用いて固定される。
フレーム１２は、光源ユニット１の筐体であり、各構成部材が収容される部材である。フレーム１２は、主走査方向に長い略直方体であり、内部には各構成部材を位置決めして支持できるように形成されている。図２に示すように、フレーム１２には、導光体２３を収容する導光体収容部１３が主走査方向に沿って形成されている。また、フレーム１２の下面には、第１の回路基板３８を配置するための第１の基板収容部１４が主走査方向に亘ってフレーム１２の外側から凹状に形成されている。第１の基板収容部１４に収容された第１の回路基板３８は、例えば熱かしめにより第１の基板収容部１４内に固定される。
【００２６】
図５Ａは、図４を矢印Ｃ方向から見た（フレーム１２の中心かつ上方向からフレーム１２の一方側を見た）斜視図である。図５Ａに示すようにフレーム１２の側壁１５の内側には、第１の光源３１を位置決めした状態で収容する第１の光源収容部１６が形成されている。
図６Ａは、図３に示すＩ−Ｉ線断面をフレーム１２の中心から見た断面図である。第１の光源収容部１６は、第１の光源３１の外形に合致した矩形状に形成され、第１の光源３１を副走査方向および上下方向に精度よく位置決めする。第１の光源収容部１６の下方向には、第１の回路基板３８に実装された第１の光源３１を下方向から第１の光源収容部１６に挿入できるように挿入溝１７が形成されている。また、図５Ａに示すように、第１の光源収容部１６の主走査方向に隣接した位置には、遮光部材４６を収容するための遮光部材収容部１８が形成される。
【００２７】
図５Ｂは、図４を矢印Ｄ方向から見た（フレーム１２の中心かつ上方向からフレーム１２の他方側を見た）斜視図である。図５Ｂに示すようにフレーム１２の側壁１５の内側には、第２の光源３２を位置決めした状態で収容する第２の光源収容部１９が形成されている。
図６Ｂは、図３に示すＩＩ−ＩＩ線断面を主走査方向にフレーム１２の中心から見た断面図である。第２の光源収容部１９は、第２の光源３２の外形に合致した矩形状に形成され、第２の光源３２を副走査方向および上下方向に精度よく位置決めする。第２の光源収容部１９の側方には、第２の回路基板４１に実装された第２の光源３２を側方から第２の光源収容部１９に挿入できるように挿入溝２０が形成されている。また、図５Ｂに示すように、フレーム１２は、挿入溝２０に隣接して第２の回路基板４１を配置するための第２の基板収容部２９がフレーム１２の外側から凹状に形成されている。第２の基板収容部２９に収容された第２の回路基板４１は、例えば熱かしめにより第２の基板収容部２９内に固定される。更に、第２の光源収容部１９の主走査方向に隣接した位置には、導光体２３の後述する係止爪２８を係止するための係止部２１が形成されている。さらに、導光体収容部１３には、導光体２３を副走査方向に付勢して導光体２３を導光体収容部１３内に保持する導光体押さえ爪２２が形成される。
【００２８】
導光体２３は、第１の光源３１および第２の光源３２から照射された光を原稿Ｐへと導くものであり、主走査方向に沿って棒状に形成されている。導光体２３は、アクリル樹脂やポリカーボネートなどの透明プラスチックにより形成される。導光体２３は、フレーム１２の導光体収容部１３に上方向から挿入されることで、導光体押さえ爪２２によって導光体収容部１３に保持される。
導光体２３は、主走査方向の両端面のうち一端面が第１の光源３１からの光を入射させる第１の入射面２４であり、他端面が第２の光源３２からの光を入射させる第２の入射面２５である。また、導光体２３は、原稿Ｐと対向する面に導光体２３内に入射した光を原稿Ｐに向かって照射させる光出射面２６が形成される。また、導光体２３は、光出射面２６と対向する面に、第１の入射面２４および第２の入射面２５から入射した光を反射および拡散させる拡散面２７が形成される。拡散面２７には、例えばシルク印刷などによる光反射性の塗料からなる光拡散パターンが形成されている。第１の入射面２４および第２の入射面２５から入射した光は光拡散パターンによって拡散されることで、光出射面２６から照射され原稿Ｐに照射される。光出射面２６および拡散面２７以外の面は、それぞれ入射された光を反射させる反射面として機能する。また、導光体２３は、第１の入射面２５の端部に、上述したフレーム１２の係止部２１に係止される係止爪２８が一体で形成されている。
【００２９】
第１の光源３１および第２の光源３２は、原稿Ｐに透過光を照射するためのものである。本実施形態では、第１の光源３１および第２の光源３２は、外形および構造が同一のＬＥＤモジュール３３が用いられる。
図７Ａおよび図７Ｂは、ＬＥＤモジュール３３の構成を示す図である。図７Ａは、ＬＥＤモジュール３３の正面図であり、図７Ｂは、ＬＥＤモジュール３３の背面図である。ＬＥＤモジュール３３は、幅方向を寸法Ｗ、幅方向に直交する長さ方向を寸法Ｌとして形成される。また、図７Ａおよび図７Ｂでは、ＬＥＤモジュール３３の幅方向における中心位置をＣｗで示し、長さ方向における中心位置をＣｌで示している。
ＬＥＤモジュール３３は、略矩形状に形成された支持体３４と、支持体３４から長さ方向に突出する複数（例えば４本）のリード端子３７とを備えている。
【００３０】
支持体３４は、平坦状の発光面３５が形成される。発光面３５には、発光部としての複数（ここでは３つ）のＬＥＤチップ３６（３６ａ、３６ｂ、３６ｃ）が透明樹脂によって封止された状態で配置されている。ＬＥＤチップ３６ａ、３６ｂ、３６ｃは、幅方向に沿って一定の間隔に配置されている。すなわち、ＬＥＤチップ３６ａ、３６ｃの中心位置にＬＥＤチップ３６ｂが配置されている。
ＬＥＤチップ３６ａ、３６ｂ、３６ｃには、例えば赤、緑、青、赤外および紫外の発光波長を有するＬＥＤチップなどを用いることができる。赤外および紫外の発光波長を有するＬＥＤチップを用いるのは、原稿Ｐにセキュリティのために不可視インクが施されているものがあり、このような原稿Ｐを読み取るためである。
なお、第１の光源３１としてのＬＥＤモジュール３３と第２の光源３２としてのＬＥＤモジュール３３は、同一または異なるＬＥＤチップ３６の組み合わせを適用することができる。異なるＬＥＤチップ３６の組み合わせとは、第１の光源３１に例えば赤、緑および赤外の発光波長を有するＬＥＤチップ３６を適用し、第２の光源３２に例えば赤、青および赤外の発光波長を有するＬＥＤチップ３６を適用する場合などをいう。
【００３１】
発光部は、平面状の発光面３５から八角形に窪んだ窪み４８に設けられており、窪み４８に複数のＬＥＤチップ３６（３６ａ、３６ｂ、３６ｃ）が設けられ、透明樹脂によって封止されている。透明樹脂によるコーティング保護が行えること、及び、窪み４８が設けられていることから、ＬＥＤチップ３６と他の部材とがぶつかり合うことによるＬＥＤチップ３６への衝撃やＬＥＤチップ３６の破損を抑制することができる。
【００３２】
図７Ａの正面図に示すように、ＬＥＤチップ３６は、ＬＥＤモジュール３３の幅方向における中心位置Ｃｗから幅方向の一方側（図７Ａでは右側）にずらして、すなわち偏倚して配置されている。ここでは、ＬＥＤモジュール３３の幅方向の寸法Ｗは、発光面３５の幅方向の寸法と同じ寸法であるため、換言するとＬＥＤチップ３６は発光面３５の幅方向における中心位置Ｃｗから幅方向の一方側に偏倚して配置されている。また、ＬＥＤチップ３６は、ＬＥＤモジュール３３の長さ方向における中心位置Ｃｌから一方側（図７Ａでは上側）にずらして、すなわち偏倚して配置されている。したがって、ＬＥＤチップ３６は支持体３４の略矩形の角部のうち一つの角部Ｅに近接して配置される。ここでの角部Ｅは、支持体３４の形状に線を補足し、正確な矩形として表したときの頂点をいうものとする。図７Ａに示すように、ＬＥＤチップ３６のうち中心位置のＬＥＤチップ３６ｂは、角部Ｅから幅方向に距離Ｈ１離間し、長さ方向に距離Ｈ２離間している。本実施形態では、距離Ｈ１と距離Ｈ２とが同寸法である。また、図７Ｂの背面図で見た場合でも、同様にＬＥＤチップ３６は支持体３４の角部Ｅに近接して配置され、ＬＥＤチップ３６ｂは、角部Ｅから幅方向に距離Ｈ１離間し、長さ方向に距離Ｈ２離間している。
【００３３】
図１９は、本実施形態におけるＬＥＤモジュールの各部分の長さを示した正面図である。本実施形態では、ＬＥＤモジュール３３の幅方向の寸法Ｗは８．３（ｍｍ）、角部Ｅから幅方向への離間距離Ｈ１と角部Ｅから長さ方向への離間距離Ｈ２は２（ｍｍ）である。また、支持体の長さ方向の寸法は４．４３（ｍｍ）、端子の長さ方向の寸法は５．５（ｍｍ）である。
【００３４】
本実施形態では、第１の光源３１および第２の光源３２を一つの回路基板に実装するのではなく、第１の回路基板３８に第１の光源３１を実装し、第２の回路基板４１に第２の光源３２を実装する。
第１の回路基板３８は、主走査方向を長手方向として平板状に形成される。第１の回路基板３８の実装面３９は、上下方向に対して直交している。第１の回路基板３８の実装面３９上には、第１の光源３１を発光させるための図示しない駆動回路が実装される。また、第１の回路基板３８の一端側には、ＬＥＤモジュール３３のリード端子３７が挿入される挿入孔４０が形成されている。ＬＥＤモジュール３３を第１の回路基板３８に実装した状態では、ＬＥＤモジュール３３の発光面３５は主走査方向に対して直交し、導光体２３の第１の入射面２４に対向する。このとき、ＬＥＤモジュール３３の幅方向は、副走査方向と一致する方向である。
【００３５】
第２の回路基板４１は、第１の回路基板３８よりも小さく、主走査方向に平板状に形成される。第２の回路基板４１の実装面４２は、副走査方向に対して直交している。すなわち、第２の回路基板４１の実装面４２は、第１の回路基板３８の実装面３９に対して直交して配置される。第２の回路基板４１の実装面４２上には、第２の光源３２を発光させるための図示しない駆動回路が実装される。また、第２の回路基板４１には、ＬＥＤモジュール３３のリード端子３７が挿入される挿入孔４３が形成されている。ＬＥＤモジュール３３を第２の回路基板４１に実装した状態では、ＬＥＤモジュール３３の発光面３５は、主走査方向に対して直交し、導光体２３の第２の入射面２５に対向する。このとき、ＬＥＤモジュール３３の幅方向は、上下方向と一致する方向であり、第１のＬＥＤモジュールの幅方向に対して９０°回転している。
【００３６】
コネクタ４４は、光源ユニット１と他の装置とを電力や電気信号が送受信可能に接続するためのものである。コネクタ４４は第１の回路基板３８の下面に取り付けられる。
フレキシブル基板４５は、第１の回路基板３８と第２の回路基板４１とを電力や電気信号が送受信可能に接続するものである。フレキシブル基板４５を介して第１の回路基板３８と第２の回路基板４１とを電気的に接続することで、第１の光源３１と第２の光源３２との各ＬＥＤチップ３６を点灯するタイミングを制御することができる。
【００３７】
遮光部材４６は、導光体２３を主走査方向から見た断面形状と略同一の形状の空間を有している。遮光部材４６は、導光体２３の第１の入射面２４側の外周を覆うことで、第１の光源３１と導光体２３の第１の入射面２４との間隙から、第１の光源３１から照射される漏れ光を遮断することができる。遮光部材４６は導光体２３の一端側に挿入した状態で、フレーム１２の遮光部材収容部１８に上方から差し込むことでフレーム１２に対して位置決めされる。
【００３８】
次に、光源ユニット１を組み付けたときの構成部材の設置状態について図１および図８を参照して説明する。図１は、導光体２３、第１の光源３１、第２の光源３２、第１の回路基板３８、第２の回路基板４１の設置状態を示す斜視図である。
光源ユニット１が組み付けられた場合には、図１に示すように、導光体２３の主走査方向の両端面に第１の光源３１および第２の光源３２が設置される。具体的には、第１の光源３１は、発光面３５が導光体２３の第１の入射面２４に対して所定の間隔をあけて対向する。このとき、第１の光源３１の幅方向は、副走査方向に沿って配置される。すなわち、第１の光源３１は、発光面３５の幅方向が副走査方向と一致し、リード端子３７が支持体３４から突出する方向が上下方向と一致する。また、第２の光源３２は、発光面３５が導光体２３の第２の入射面２５に対して所定の間隔をあけて対向する。このとき、第２の光源３２の幅方向は、副走査方向に対して直交する上下方向に沿って配置される。すなわち、第２の光源３２は、発光面３５の幅方向が上下方向と一致し、リード端子３７が支持体３４から突出する方向が副走査方向と一致する。
【００３９】
ＬＥＤチップ３６が発光面３５の幅方向の一方側に偏倚して配置された、同一構成の２つのＬＥＤモジュール３３を導光体２３の両端面に設置する場合、比較例に係る光源ユニットのように、ＬＥＤモジュール３３の幅方向を同一方向にして設置すると、副走査方向の突出長が大きくなる。したがって、第１の光源と第２の光源とを合わせた副走査方向の寸法が大きくなってしまう。
そこで、本実施形態では、第１の光源３１のＬＥＤモジュール３３の幅方向を副走査方向にし、第２の光源３２のＬＥＤモジュール３３の幅方向を副走査方向と直交する上下方向にして組み付けることで、第１の光源と第２の光源との重なり代が多くなる。このため副走査方向の突出長が小さくなり、第１の光源３１と第２の光源３２とを合わせた副走査方向の寸法を小さくすることができる。
【００４０】
図８は、図１の矢印Ｆ方向（主走査方向）から見た図である。図８に示すように、第１の光源３１のＬＥＤチップ３６および第２の光源３２のＬＥＤチップ３６はそれぞれ、導光体２３の第１の入射面２４および第２の入射面２５に対向させることができる。本実施形態では、主走査方向で見たときに、第１の光源３１のＬＥＤチップ３６が導光体２３の第１の入射面２４内に配置される。更には、主走査方向で見たときに、第１の光源３１の発光面３５の窪み４８が第１の入射面２４内に配置される。また、本実施形態では、主走査方向で見たときに、第２の光源３２のＬＥＤチップ３６が導光体２３の第２の入射面２５内に配置される。更には、主走査方向で見たときに、第２の光源３２の発光面３５の窪み４８が第２の入射面２５内に配置される。
また、本実施形態では、第１の光源３１のＬＥＤチップ３６のうちの中央位置のＬＥＤチップ３６ｂと、第２の光源３２のＬＥＤチップ３６の中央位置のＬＥＤチップ３６ｂとが主走査方向に重なっている。上述したように、本実施形態ではＬＥＤチップ３６ｂは、角部Ｅから幅方向に距離Ｈ１離間し、長さ方向に距離Ｈ２離間し、距離Ｈ１と距離Ｈ２とが同寸法であることから、図８に示すように、第１の光源３１の角部Ｅと第２の光源３２の角部Ｅとが主走査方向に重なるように設置される。
【００４１】
第１の光源３１および第２の光源３２を、発光面３５の幅方向が直交するように設置することにより、主走査方向で見たときに、第１の光源３１と第２の光源３２との副走査方向における突出長を小さくできる。したがって、第１の光源３１と第２の光源３２とを合わせた副走査方向の寸法を小さくすることができる。本実施形態の副走査方向の寸法Ｔ２は、比較例に係る図１５に示す副走査方向の寸法Ｔ１に比べて、略３／４の寸法にすることができる。このように第１の光源３１と第２の光源３２とを合わせた副走査方向の寸法を小さくすることにより、フレーム１２の副走査方向の寸法も小さくすることができ光源ユニット１を小型化することができる。
【００４２】
このように、本実施形態の光源ユニット１によれば、導光体２３の長手方向で見たとき、第１の光源３１および第２の光源３２は、発光面の幅方向が直交するように設置することで、主走査方向で見たときに第１の光源３１および第２の光源３２を合わせた副走査方向の寸法を小さくすることができる。したがって、光源ユニット１および紙葉類読取部１０を小型化することができる。
【００４３】
第一の実施形態の光源ユニット１を有する紙葉類読取部１０を備えた紙葉類鑑別装置４について図２０及び図２１を参照して説明する。紙葉類鑑別装置４は、被照明体としての紙葉類からの透過光及び反射光を読み取るための紙葉類読取部１０と、紙葉類を鑑別する基準となる基準データを記憶する基準データ記憶部５と、紙葉類読取部１０からの電気信号に応じたイメージデータと基準データとを比較するための比較部６を備えたものである。
【００４４】
紙葉類鑑別装置４では、搬送手段としての搬送ローラ５５（５５ａ、５５ｂ）、５６（５６ａ、５６ｂ）によって被照明体としての紙葉類Ｐを搬送し、光源ユニット１が紙葉類Ｐに光を照射し、紙葉類Ｐを挟んで対面するイメージセンサユニット２ａに配置された光電変換素子で透過光を電気信号に変換する（Ｓ１）。さらに、イメージセンサユニット２（２ａ、２ｂ）が、被照明体としての紙葉類Ｐに光を照射し、光電変換素子で紙葉類Ｐからの反射光を電気信号に変換する（Ｓ１）。イメージセンサで得られたイメージデータを、比較部６にて基準データ記憶部５に記憶されている基準データと比較し（Ｓ２）、一致するかを判定する（Ｓ３）。一致する場合には比較部６により正常な紙葉類として判定し、紙葉類を受け付ける（Ｓ４）。一方、一致しない場合には比較部６により正常でない紙葉類として判定し、受け付け不適切として処理する（Ｓ５）。
【００４５】
（第２の実施形態）
本実施形態では、第１の実施形態の照明装置５０を備えたイメージセンサユニットと、このイメージセンサユニットが適用される画像読取装置および画像形成装置について説明する。画像読取装置および画像形成装置では、照明装置５０が被照明体としての原稿Ｐに光を照射し、照明装置５０を備えたイメージセンサユニットが反射光を電気信号に変換することで画像を読み取る。
【００４６】
本実施形態に係るイメージセンサユニットを適用できる画像読取装置または画像形成装置としての多機能プリンタ（ＭＦＰ；Ｍｕｌｔｉｆｕｎｃｔｉｏｎ Ｐｒｉｎｔｅｒ）について図９を参照して説明する。図９は、ＭＦＰの外観を示す斜視図である。図９に示すように、ＭＦＰ６０は、被照明体としての原稿Ｐからの反射光を読み取る画像読取手段としての画像読取部６２と、記録媒体としてのシート６１（記録紙）に原稿Ｐの画像を形成（印刷）する画像形成手段としての画像形成部７３とを備えている。
【００４７】
画像読取部６２はいわゆるイメージスキャナーの機能を有するものであり、例えば以下のように構成される。画像読取部６２は、筐体６３と、原稿載置部としてのガラス製の透明板からなるプラテンガラス６４と、原稿Ｐを覆うことができるように筐体６３に対して開閉自在に設けられるプラテンカバー６５とを備えている。
筐体６３の内部には、照明装置５０を備えたイメージセンサユニット３、保持部材６６、イメージセンサユニットスライドシャフト６７、イメージセンサユニット駆動モータ６８、ワイヤ６９、信号処理部７０、回収ユニット７１、給紙トレイ７２などが収納されている。
【００４８】
イメージセンサユニット３は、例えば密着型イメージセンサ（ＣＩＳ；Ｃｏｎｔａｃｔ Ｉｍａｇｅ Ｓｅｎｓｏｒ）ユニットである。保持部材６６は、イメージセンサユニット３を囲むように保持するものである。イメージセンサユニットスライドシャフト６７は、保持部材６６をプラテンガラス６４に沿って副走査方向に案内するものである。イメージセンサユニット駆動モータ６８は保持部材６６に取り付けられたワイヤ６９を動かす。回収ユニット７１は筐体６３に対して開閉自在に設けられ、印刷されたシート６１を回収する。給紙トレイ７２は、所定のサイズのシート６１を収容する。
【００４９】
上述したように構成される画像読取部６２では、イメージセンサユニット駆動モータ６８がイメージセンサユニットスライドシャフト６７に沿ってイメージセンサユニット３を副走査方向に移動させる。このとき、イメージセンサユニット３はプラテンガラス６４上に載置された原稿Ｐを光学的に読み取って、電気信号に変換することで、画像の読み取り動作を行う。
【００５０】
図１０は画像形成部７３の構造を示す概略図である。
画像形成部７３はいわゆるプリンタの機能を有するものであり、例えば以下のように構成される。画像形成部７３は筐体６３内部に収容されており、図１０に示すように、搬送ロール７４と、記録ヘッド７５とを備えている。記録ヘッド７５は、例えばシアンＣ、マゼンタＭ、イエローＹ、黒Ｋのインクを備えたインクタンク７６（７６ｃ、７６ｍ、７６ｙ、７６ｋ）と、これらのインクタンク７６にそれぞれ設けられた吐出ヘッド７７（７７ｃ、７７ｍ、７７ｙ、７７ｋ）から構成される。また、画像形成部７３は、記録ヘッドスライドシャフト７８、記録ヘッド駆動モータ７９、記録ヘッド７５に取り付けられたベルト８０を有している。
【００５１】
上述したように構成される画像形成部７３では、給紙トレイ７２から供給されたシート６１は、搬送ロール７４によって記録位置まで搬送される。記録ヘッド７５は、記録ヘッド駆動モータ７９によりベルト８０を機械的に動かすことで、記録ヘッドスライドシャフト７８に沿って印刷方向（主走査方向）に移動しつつ電気信号を基にシート６１に対して印刷を行うものである。印刷終了まで上述した動作を繰り返した後、印刷されたシート６１は搬送ロール７４によって回収ユニット７１に排出される。
なお、画像形成部７３としてインクジェット方式による画像形成装置を説明したが、電子写真方式、熱転写方式、ドットインパクト方式などどのような方式であっても構わない。
【００５２】
次に、本実施形態のイメージセンサユニット３について説明する。本実施形態のイメージセンサユニット３は、第１の実施形態の照明装置５０に集光体およびイメージセンサを追加して構成することで、原稿Ｐに反射読み取り用の光を照射すると共に、原稿Ｐからの反射光を読み取るものである。集光体およびイメージセンサユニットを追加した構成以外は、第１の実施形態の光源ユニット１の構成と同様であり、同一符号を付してその説明を省略する。
【００５３】
図１７はイメージセンサユニット３の斜視図である。図１１はイメージセンサユニット３の断面図である。図１２はイメージセンサユニット３の各構成部材を示す分解斜視図である。図１１および図１２に示すように、イメージセンサユニット３は集光体８１、イメージセンサ８２を備えている。
集光体８１は、原稿Ｐからの反射光をイメージセンサ８２上に結像する光学部材であり、フレーム１２によって保持される。集光体８１は、例えば複数の正立等倍結像型の結像素子（ロッドレンズ）が主走査方向に直線状に配列されるロッドレンズアレイを適用することができる。
【００５４】
イメージセンサ８２は、第１の回路基板３８の実装面３９に実装され、集光体８１の下方向に配置される。イメージセンサ８２は、イメージセンサユニット３の読取の解像度に応じた複数の受光素子から構成されるイメージセンサＩＣ８３を第１の回路基板３８上に主走査方向に沿って直線状に実装したものである。イメージセンサ８２は、原稿Ｐから反射され集光体８１によって結像された反射光を受光して電気信号に変換する。なお、イメージセンサ８２は、第１の回路基板３８に実装する場合に限られず、例えば第１の回路基板３８の上方に、イメージセンサ８２を実装するための基板を配置してもよい。
【００５５】
上述したように構成されるイメージセンサユニット３では、フレーム１２内に配置された第１の光源３１および第２の光源３２を点灯することにより導光体２３から原稿Ｐの下面に対して矢印Ｌ３に示す反射読み取り用の光を照射する。したがって、原稿Ｐには読取ラインＳ（主走査方向）に亘ってライン状に光が照射される。この光は原稿Ｐによって反射されることで、集光体８１を介して反射光がイメージセンサ８２上に結像される。イメージセンサ８２は、結像された反射光を電気信号に変換することで、原稿Ｐの下面の画像を読み取ることができる。
【００５６】
イメージセンサ８２が反射光を１走査ライン分読み取ることで、原稿Ｐの主走査方向における１走査ラインの読み取り動作を完了する。１走査ラインの読み取り動作終了後、原稿Ｐの副走査方向への相対的な移動に伴い、上述する動作と同様に次の１走査ライン分の読み取り動作が行われる。このようにイメージセンサユニット３が副走査方向に移動しながら１走査ライン分ずつ読み取り動作を繰り返すことで、原稿Ｐの全面が順次走査されて反射光により画像の読み取りが行われる。
【００５７】
上述したイメージセンサユニット３の照明装置５０では、第１の実施形態と同様、主走査方向で見たときに、第１の光源３１および第２の光源３２を、発光面３５の幅方向が直交するように設置しているので、第１の光源３１と第２の光源３２とを合わせた副走査方向の寸法を小さくすることができる。したがって、イメージセンサユニット３、画像読取装置および画像形成装置の小型化を図ることができる。
【００５８】
以上、本発明を上述した実施形態を用いて説明したが、本発明は上述した実施形態にのみ限定されるものではなく、本発明の範囲内で変更が可能である。
例えば、上述した実施形態の第１の光源３１および第２の光源３２は、３つのＬＥＤチップ３６が副走査方向に配置されたＬＥＤモジュール３３を用いる場合について説明したが、この場合に限られず、１つ以上であればどのような光源であってもよい。例えば、２つのＬＥＤチップ３６は配置されたＬＥＤモジュールを用いる場合には、主走査方向で見て、第１の光源３１の２つのＬＥＤチップの中心位置と、第２の光源３２の２つのＬＥＤチップの中心位置とが一致するように、第１の光源３１の幅方向と第２の光源３２の幅方向とを９０°回転させて配置してもよい。また、例えば、３つのＬＥＤチップが三角形状に配置されたＬＥＤモジュールを用いる場合には、主走査方向で見て、第１の光源３１の３つのＬＥＤチップの三角形の重心位置（中心位置）と、第２の光源３２の３つのＬＥＤチップの三角形の重心位置（中心位置）とが一致するように、第１の光源３１の幅方向と第２の光源３２の幅方向とを９０°回転させて配置してもよい。
【００５９】
上述した実施形態では、第１の光源３１及び第２の光源３２の発光面３５に設けられた窪み４８が八角形である場合について説明したが、窪み４８の形状は八角形に限定されず、四角形や円形などどのような形状であってもよい。
【００６０】
また、上述した実施形態では、第１の光源３１の端子と第２の光源３２の端子が直交（９０°）である場合について説明したが、第１の光源３１の端子と第２の光源３２の端子の角度は直交（９０°）に限定されない。導光体２３の長手方向で見たときに、第１の光源３１の発光部が導光体２３の一端面内に配置されるように導光体２３の長手方向の一端側に第１の光源３１を配置し、さらに、第２の光源３２の発光部が導光体２３の他端面内に配置されるように導光体２３の長手方向の他端側に第２の光源３２を配置する場合に、第１の光源３１の端子と第２の光源３２の端子との角度を変えることで、所定の方向への突出長が小さくなる配置であれば第１の光源３１の端子と第２の光源３２の端子との角度はどのような角度であってもよい。
【００６１】
更に言えば、導光体２３の長手方向でみたときに、第１の光源３１の発光面３５の窪み４８が導光体２３の一端面内に配置されるように導光体２３の長手方向の一端側に第１の光源３１を配置し、さらに、第２の光源３２の発光面３５の窪み４８が導光体２３の他端面内に配置されるように導光体２３の長手方向の他端側に第２の光源３２を配置する場合において、第１の光源３１の端子と第２の光源３２の端子との角度を変えることで、所定の方向への突出長が小さくなる配置であれば第１の光源３１の端子と第２の光源３２の端子との角度はどのような角度であってもよい。これにより、第１の光源３１と第２の光源３２とを合わせた所定の方向の寸法を小さくすることができる。
【００６２】
図１８Ａから図１８Ｆは、本実施形態の光源における、第１の光源３１の端子と第２の光源３２の端子とを様々な角度で変化させた場合の、導光体２３の長手方向で見た図である。図１８Ａは第１の光源３１の端子と第２の光源３２の端子との角度を０°（比較例）とした図である。図１８Ｂは第１の光源３１の端子と第２の光源３２の端子との角度を２１．２°とした図である。図１８Ｃは第１の光源３１の端子と第２の光源３２の端子との角度を９０°（直交）とした図である。また、図１８Ｄは第１の光源３１の端子と第２の光源３２の端子との角度を１８０°とした図である。図１８Ｅは第１の光源３１の端子と第２の光源３２の端子との角度を２２０．２°とした図である。図１８Ｆは第１の光源３１の端子と第２の光源３２の端子との角度を３０７．７°とした図である。本実施形態の光源においては、第１の光源３１の端子と第２の光源３２の端子との角度が２１．２°から２２０．２°の範囲であれば、角度を変えない場合と比較して、副走査方向の長さを短くすることができる。これによって第１の光源３１と第２の光源３２とを合わせた所定の方向の寸法を小さくすることができる。なお、本実施形態の光源においては、第１の光源３１の端子と第２の光源３２の端子との角度を９０°としたときに最も副走査方向の寸法が小さくなり、比較例と比べて副走査方向を２．９（ｍｍ）小さくすることができる。
【００６３】
また、上述した実施形態の第１の光源３１および第２の光源３２は、同一の外形および構成のＬＥＤモジュール３３を用いる場合について説明したが、この場合に限られない。例えば、第１の光源および第２の光源は、発光部が光源の幅方向の中心位置から幅方向の一方側にそれぞれ異なる距離だけ偏倚している光源の組み合わせに適用してもよい。
【００６４】
また、上述した実施形態では、第１の回路基板３８と第２の回路基板４１とをフレキシブル基板４５を介して接続する場合について説明したが、この場合に限られない。図１３は、第１の回路基板３８と第２の回路基板４１との他の接続形態を示す図である。図１３は、図５Ｂの構成と同一の構成は、同一符号を付して、その説明を省略する。図１３に示すように、第１の回路基板３８と第２の回路基板４１とはコネクタ９１を介して接続してもよい。コネクタ９１は、第１の回路基板３８の実装面３９に穿設された挿入孔９４に挿入される端子９３と、第２の回路基板４１の実装面４２に穿設された挿入孔９５に挿入される端子９２とを有している。また、フレーム１２には、第２の基板収容部２９よりもフレーム１２の内側に、コネクタ９１を配置するためのコネクタ収容部９６が形成されている。第１の回路基板３８と第２の回路基板４１とを接続したコネクタ９１は、フレーム１２に組み付けられた状態では、コネクタ収容部９６内に配置される。
【産業上の利用可能性】
【００６５】
本発明は、照明装置、この照明装置が適用されるイメージセンサユニット、このイメージセンサユニットが適用される画像読取装置や画像形成装置（例えばイメージスキャナー、ファクシミリ、複写機、複合機など）に有効に利用できる。
【符号の説明】
【００６６】
１：光源ユニット  ２（２ａ、２ｂ）：イメージセンサユニット  ３：イメージセンサユニット  １０：紙葉類読取部  １２：フレーム  ２３：導光体  ２４：第１の入射面  ２５：第２の入射面  ２６：出射面  ２７：拡散面  ３１：第１の光源  ３２：第２の光源  ３３：ＬＥＤモジュール  ３４：支持体  ３５：発光面  ３６：ＬＥＤチップ（発光部）  ３８：第１の回路基板  ３９：実装面  ４１：第２の回路基板  ４２：実装面  ４５：フレキシブル基板  ５０：照明装置  ６０：ＭＦＰ（画像読取装置、画像形成装置）  ６２：画像読取部（画像読取手段）  ７３：画像形成部（画像形成手段）  ８１：集光体  ８２：イメージセンサ  ９１：コネクタ  Ｅ：角部
【図１】
0005529318.tif 000002
【図２】
0005529318.tif 000003
【図３】
0005529318.tif 000004
【図４】
0005529318.tif 000005
【図５Ａ】
0005529318.tif 000006
【図５Ｂ】
0005529318.tif 000007
【図６Ａ】
0005529318.tif 000008
【図６Ｂ】
0005529318.tif 000009
【図７Ａ】
0005529318.tif 000010
【図７Ｂ】
0005529318.tif 000011
【図８】
0005529318.tif 000012
【図９】
0005529318.tif 000013
【図１０】
0005529318.tif 000014
【図１１】
0005529318.tif 000015
【図１２】
0005529318.tif 000016
【図１３】
0005529318.tif 000017
【図１４】
0005529318.tif 000018
【図１５】
0005529318.tif 000019
【図１６】
0005529318.tif 000020
【図１７】
0005529318.tif 000021
【図１８Ａ】
0005529318.tif 000022
【図１８Ｂ】
0005529318.tif 000023
【図１８Ｃ】
0005529318.tif 000024
【図１８Ｄ】
0005529318.tif 000025
【図１８Ｅ】
0005529318.tif 000026
【図１８Ｆ】
0005529318.tif 000027
【図１９】
0005529318.tif 000028
【図２０】
0005529318.tif 000029
【図２１】
0005529318.tif 000030